(57)【要約】【課題】記憶装置を適切に接続できる電子機器及び保持部材を提供すること。【解決手段】電子機器の機器本体には、開口を介して挿入された記憶装置３８を収納する取付部４９と、開口への挿入方向に対する略直交方向に摺動した記憶装置３８に接続される接続部５８１とが設けられている。記憶装置３８は、接続部５８１に接続される端子を有する記憶媒体と、記憶媒体を支持する保持部材とを備える。取付部４９における開口から接続部５８１までの間と保持部材における端子近傍とのうちいずれか一方には、記憶装置３８の挿入方向及び摺動方向に略直交する方向に突出する突出部４９４３，４９４４が複数設けられ、他方には複数の切欠が形成されている。取付部４９に記憶装置３８を収納した際に、開口に近接する側の突出部４９４３の第１方向の寸法は、開口から離間する側の突出部４９４４より大きい。【選択図】図１６
2008077773.tif 000002
【特許請求の範囲】
【請求項１】
情報を記憶する記憶装置と、前記記憶装置に対する情報の読取及び記憶の少なくともいずれかを実行する機器本体とを備えた電子機器であって、
前記機器本体には、
前記記憶装置が挿抜される開口を有し、当該開口を介して前記記憶装置が取り付けられる取付部と、
前記取付部内に収納され、かつ、前記開口への前記記憶装置の挿入方向である第１方向に対する略直交方向である第２方向に摺動した前記記憶装置に接続される接続部とが設けられ、
前記記憶装置は、
一端に前記接続部に接続される端子を有する記憶媒体と、
前記記憶媒体を保持する保持部材とを備え、
前記取付部における前記開口から前記接続部までの間、及び、前記保持部材における前記端子近傍のうち、いずれか一方には、
前記第１方向及び前記第２方向に略直交する第３方向に向かって突出する複数の突出部が設けられ、他方には、前記複数の突出部に応じた寸法を有する複数の切欠が形成され、
前記複数の突出部のうち、前記取付部に前記記憶装置を収納した際に、前記開口に近接する側に設けられた突出部の前記第１方向の寸法は、前記開口から離間する側に設けられた突出部の前記第１方向の寸法より大きいことを特徴とする電子機器。
【請求項２】
請求項１に記載の電子機器において、
前記取付部は、
前記第１方向及び前記第３方向の寸法が、前記記憶装置の前記第１方向の寸法及び前記第３方向の寸法とそれぞれ略一致し、前記第２方向の寸法が、当該記憶装置の前記第２方向の寸法より大きい枠状に形成されていることを特徴とする電子機器。
【請求項３】
請求項１または請求項２に記載の電子機器において、
前記複数の突出部は、前記取付部に設けられ、
前記複数の切欠は、前記保持部材に形成されていることを特徴とする電子機器。
【請求項４】
請求項１から請求項３のいずれかに記載の電子機器において、
前記保持部材には、前記開口端縁に当接する当接部が設けられ、
前記開口端縁のうち、前記第２方向に沿う端縁のいずれか一方には、前記当接部が当接し、前記保持部材の前記第２方向への摺動を案内するガイド部が設けられていることを特徴とする電子機器。
【請求項５】
請求項１から請求項４のいずれかに記載の電子機器において、
前記複数の突出部は、前記第２方向に対向する面における前記第１方向の両端の角が取れた曲面形状を有することを特徴とする電子機器。
【請求項６】
請求項１から請求項５のいずれかに記載の電子機器において、
前記保持部材には、前記記憶装置の前記第１方向側の面とは反対側の面に、当該保持部材を把持するための把手が設けられていることを特徴とする電子機器。
【請求項７】
請求項１から請求項６のいずれかに記載の電子機器において、
前記記憶媒体は、ハードディスクドライブであることを特徴とする電子機器。
【請求項８】
開口と、当該開口の内側に設けられた接続部とを有する電子機器の前記開口に挿入され、かつ、当該挿入方向に直交する方向に摺動することで前記接続部に接続される端子を有する記憶媒体を保持する保持部材であって、
前記記憶媒体の前記開口への挿入方向に沿った面のうち、前記記憶媒体の前記端子が設けられた面に交差する面を覆う側面部を備え、
前記側面部における前記記憶媒体の前記端子が設けられた側の端縁には、前記挿入方向の寸法が異なる複数の切欠が形成され、
前記複数の切欠のうち、前記挿入方向の基端側の切欠の当該挿入方向の寸法は、前記挿入方向の先端側の切欠の当該挿入方向の寸法より大きく形成されていることを特徴とする保持部材。
【請求項９】
請求項８に記載の保持部材において、
当該保持部材が前記開口に挿入された際に、当該開口端縁に当接する当接部が設けられていることを特徴とする保持部材。
【請求項１０】
請求項８または請求項９に記載の保持部材において、
前記複数の切欠の端縁は、角が取れた曲線形状を有することを特徴とする保持部材。
【請求項１１】
請求項８から請求項１０のいずれかに記載の保持部材において、
当該保持部材の前記開口への挿入方向側とは反対側に設けられ、前記側面部に交差する他の側面部を備え、
前記他の側面部には、当該保持部材を把持するための把手が設けられていることを特徴とする保持部材。
【請求項１２】
請求項８から請求項１１のいずれかに記載の保持部材において、
前記記憶媒体は、ハードディスクドライブであることを特徴とする保持部材。
【発明の詳細な説明】
【技術分野】
【０００１】
本発明は、情報を記憶する記憶装置と、前記記憶装置に対する情報の読取及び記憶の少なくともいずれかを実行する機器本体とを備えた電子機器、及び、当該記憶装置を保持する保持部材に関する。
【背景技術】
【０００２】
従来、画像情報及び音声情報、並びに、各種プログラム等の情報を記憶する記憶装置を備え、当該記憶装置に記憶された情報を処理する電子機器が知られている。このような電子機器として、ＨＤＤ（Hard Disk Drive）を記憶装置として備え、当該ＨＤＤに記憶された情報を処理する電子機器が知られている（例えば、特許文献１参照）。
【０００３】
ところで、この特許文献１に記載の電子機器に設けられるＨＤＤは、筐体内に設けられた中継基板のコネクト部及び電源用コネクタと、ＨＤＤの各コネクタとを接続した状態で、筐体内に固定及び収納されている。しかしながら、このような構造では、ＨＤＤが故障した場合や、当該ＨＤＤの記憶容量が不足した場合などに、ＨＤＤを交換しようとすると、筐体を開け、固定具やコネクタを外す必要があるなど、交換作業が煩雑であるという問題が生じる。
【０００４】
一方、ＨＤＤを筐体外から挿入して取り付ける取付構造を有するディスクアレイ装置が知られている（例えば、特許文献２参照）。この特許文献２に記載のディスクアレイ装置では、当該ディスクアレイ装置の筐体に、ＨＤＤを挿入するための開口が形成され、当該開口の内側には、上下のレールが設けられている。そして、筐体にＨＤＤ（交換ユニットＢ）を取り付ける際には、開口にＨＤＤを挿入し、レールに沿って筐体の奥行き方向にスライドさせると、当該レールによりＨＤＤが支持される。
【０００５】
【特許文献１】特開２００６−１６４３２９号公報
【特許文献２】特開平９−８３１４９号公報
【発明の開示】
【発明が解決しようとする課題】
【０００６】
しかしながら、特許文献２に記載のディスクアレイ装置では、ＨＤＤをレールに支持させるように適切に配置した後、奥行き方向にスライドさせないと、当該ＨＤＤのコネクタと、当該コネクタに接続される筐体側の接続端子とが適切に接続されないという問題がある。具体的に、下側に設けられたレールにのみＨＤＤが支持された状態で、当該ＨＤＤを筐体の奥行き方向に挿入すると、当該ＨＤＤが筐体に対して傾斜した状態となるため、コネクタと接続端子とが適切に接続されない。このような場合、ＨＤＤに荷重を加えると、コネクタ及び接続端子を損傷する可能性がある。
【０００７】
本発明の目的は、記憶装置を適切に接続することができる電子機器、及び、記媒体置を保持する保持部材を提供することである。
【課題を解決するための手段】
【０００８】
前記した目的を達成するために、本発明の電子機器は、情報を記憶する記憶装置と、前記記憶装置に対する情報の読取及び記憶の少なくともいずれかを実行する機器本体とを備えた電子機器であって、前記機器本体には、前記記憶装置が挿抜される開口を有し、当該開口を介して前記記憶装置が取り付けられる取付部と、前記取付部内に収納され、かつ、前記開口への前記記憶装置の挿入方向である第１方向に対する略直交方向である第２方向に摺動した前記記憶装置に接続される接続部とが設けられ、前記記憶装置は、一端に前記接続部に接続される端子を有する記憶媒体と、前記記憶媒体を保持する保持部材とを備え、前記取付部における前記開口から前記接続部までの間、及び、前記保持部材における前記端子近傍のうち、いずれか一方には、前記第１方向及び前記第２方向に略直交する第３方向に向かって突出する複数の突出部が設けられ、他方には、前記複数の突出部に応じた寸法を有する複数の切欠が形成され、前記複数の突出部のうち、前記取付部に前記記憶装置を収納した際に、前記開口に近接する側に設けられた突出部の前記第１方向の寸法は、前記開口から離間する側に設けられた突出部の前記第１方向の寸法より大きいことを特徴とする。
【０００９】
本発明によれば、記憶装置は、取付部の開口に挿入された後、当該挿入方向である第１方向に略直交する方向である第２方向に摺動することで、当該記憶装置の端子が接続部に接続される。この際、取付部及び記憶装置の保持部材のいずれか一方に設けられた複数の突出部が、他方に形成された複数の切欠に嵌まり込むことにより、記憶装置を構成する記憶媒体の端子と接続部との位置合わせを適切に行うことができ、当該接続部への端子の接続を適切に行うことができる。
【００１０】
ここで、複数の突出部のうち、開口に近接する側の突出部は、開口から離間する側の突出部より第１方向の寸法が大きいので、開口を介して取付部内に記憶装置の一部しか収納されていない場合に、当該記憶装置が第２方向に摺動したり、あるいは、記憶装置が回動した場合には、開口に近接する側の突出部が、当該突出部に応じた切欠に嵌まり込まないため、記憶装置の第２方向への摺動及び回動を規制することができる。
また、記憶装置が上下などに反転した状態で開口に挿入された場合でも、複数の突出部と、当該突出部に応じた形状を有する切欠との位置が合わなくなるため、当該記憶装置の第２方向への摺動を規制することができる。これにより、端子と接続部とが適切でない角度や方向で接触することを防ぐことができるので、端子及び接続部の損傷を防ぐことができる。
従って、開口を介して取付部内に挿入された記憶装置の端子と、接続部とを適切に接続することができる。
【００１１】
本発明では、前記取付部は、前記第１方向及び前記第３方向の寸法が、前記記憶装置の前記第１方向の寸法及び前記第３方向の寸法とそれぞれ略一致し、前記第２方向の寸法が、当該記憶装置の前記第２方向の寸法より大きい枠状に形成されていることが好ましい。
【００１２】
本発明によれば、取付部の第１方向及び第３方向の寸法が、記憶装置の第１方向及び第３方向の寸法と略一致する枠状に形成されていることにより、記憶装置の取付部内での移動方向が第２方向のみに規制される。これによれば、取付部内で記憶装置ががた付くことを防ぐことができる。また、枠状に形成された取付部により、記憶装置の端子が接続部に接続される方向である第２方向への記憶装置の摺動を案内することができる。従って、記憶装置に設けられた端子の接続部への接続作業を簡略化することができる。
【００１３】
本発明では、前記複数の突出部は、前記取付部に設けられ、前記複数の切欠は、前記保持部材に形成されていることが好ましい。
ここで、記憶装置を構成する保持部材に複数の突出部が設けられている場合には、当該突出部は、切欠に嵌まり込むために、記憶装置の外側に向かって突出するように設けられる。このため、当該突出部の分だけ、保持部材の寸法が増すこととなり、記憶装置の薄型化を妨げる要因となる。
これに対し、本発明では、前述の複数の突出部が取付部に設けられ、記憶装置の保持部材には、当該複数の突出部に応じた形状を有する切欠が形成されていることにより、保持部材における突出を無くすことができる。従って、記憶装置の薄型化を図ることができる。
【００１４】
本発明では、前記保持部材には、前記開口端縁に当接する当接部が設けられ、前記開口端縁のうち、前記第２方向に沿う端縁のいずれか一方には、前記当接部が当接し、前記保持部材の前記第２方向への摺動を案内するガイド部が設けられていることが好ましい。
【００１５】
本発明によれば、取付部に形成された開口の端縁のうち、記憶装置の摺動方向である第２方向に沿った端縁のいずれか一方には、記憶装置の第２方向への摺動を案内するガイド部が設けられ、当該ガイド部に当接する当接部が記憶装置の保持部材に設けられている。これによれば、保持部材の当接部がガイド部に沿って摺動することにより、記憶装置の第２方向への摺動動作を、位置ずれを生じることなく適切かつ容易に行うことができる。
また、ガイド部は、第２方向に沿った端縁のいずれか一方に設けられていることにより、開口への挿入時の記憶装置の向きを分かりやすくすることができる。
従って、開口への記憶装置の誤挿入を防止することができ、また、開口に挿入された記憶装置の摺動動作を容易に行うことができる。
【００１６】
本発明では、前記複数の突出部は、前記第２方向に対向する面における前記第１方向の両端の角が取れた曲面形状を有することが好ましい。
本発明によれば、各突出部の第１方向の両端が曲面形状を有しているので、記憶装置の第２方向への摺動に伴って各突出部に切欠が嵌まり込む際に、突出部と切欠とが干渉して、互いに嵌まり込まなくなることを防ぐことができる。従って、記憶装置を第２方向に摺動させた際に、突出部と切欠とを互いに速やかに嵌め込むことができ、記憶装置に設けられた端子と接続部とを滞りなく適切に接続することができる。
【００１７】
本発明では、前記保持部材には、前記記憶装置の前記第１方向側の面とは反対側の面に、当該保持部材を把持するための把手が設けられていることが好ましい。
ここで、記憶装置の第１方向側の面と反対側の面とは、当該記憶装置を取付部の開口に挿入する際に、当該開口に対向する側とは反対側の面を示している。
本発明によれば、保持部材に設けられた把手を把持しつつ、記憶装置を開口内に挿入することができ、また、当該記憶装置を取付部内において第２方向に摺動することができる。従って、記憶装置の開口への挿入及び第２方向への摺動を容易に行うことができる。
【００１８】
本発明では、前記記憶媒体は、ハードディスクドライブであることが好ましい。
このようなハードディスクとしては、SerialＡＴＡ（AT Attachment）規格に準拠した端子を有するハードディスクドライブや、UltraＡＴＡ等の他のＡＴＡ規格及びＳＣＳＩ（Small Computer System Interface）規格に準拠したハードディスクドライブを例示することができる。
【００１９】
本発明によれば、半導体メモリカード等に比べて大きな寸法を有し、記憶容量の大きなハードディスクドライブを機器本体に適切に取り付けることができる。また、半導体メモリカードの場合では、当該半導体メモリカード自体が接続部に挿入される場合が多いのに対し、ハードディスクドライブの場合には、当該ハードディスクドライブに設けられた端子を接続部に挿入する必要が生じるため、当該端子と接続部との位置合わせが難しい。これに対し、前述のような構成を採用することにより、当該端子と接続部との接続を容易に行うことができる。さらに、SerialＡＴＡ規格に準拠したハードディスクドライブの場合には、UltraＡＴＡ等の他のＡＴＡ規格やＳＣＳＩ規格に準拠したハードディスクに比べて端子が小さいので、端子と接続部との位置合わせを適切かつ容易に行うことができる。
【００２０】
また、本発明の保持部材は、開口と、当該開口の内側に設けられた接続部とを有する電子機器の前記開口に挿入され、かつ、当該挿入方向に直交する方向に摺動することで前記接続部に接続される端子を有する記憶媒体を保持する保持部材であって、前記記憶媒体の前記開口への挿入方向に沿った面のうち、前記記憶媒体の前記端子が設けられた面に交差する面を覆う側面部を備え、前記側面部における前記記憶媒体の前記端子が設けられた側の端縁には、前記挿入方向の寸法が異なる複数の切欠が形成され、前記複数の切欠のうち、前記挿入方向の基端側の切欠の当該挿入方向の寸法は、前記挿入方向の先端側の切欠の当該挿入方向の寸法より大きく形成されていることを特徴とする。
【００２１】
本発明によれば、当該本発明の保持部材を前述の電子機器に用いた場合、当該前述の電子機器と同様の効果を奏することができる。
すなわち、電子機器における開口に挿入された保持部材と、当該挿入方向である第１方向に直交する第２方向に保持部材が摺動した際に記憶媒体の端子が接続される接続部との間に、第１方向及び第２方向に直交する第３方向に突出した複数の突出部が電子機器側に設けられ、当該複数の突出部の第１方向の寸法が、保持部材に形成された複数の切欠の第１方向の寸法に対応している場合に、前述の電子機器と同様の効果を奏することができる。
【００２２】
具体的に、保持部材及び記憶媒体を電子機器の開口に挿入し、当該開口への挿入方向である第１方向と直交する方向である第２方向に摺動させた場合、保持部材に形成された複数の切欠に、当該複数の切欠に応じて形成された複数の突出部が嵌まり込むことで、接続部に対する記憶媒体の端子の位置を適切に位置合わせすることができる。
ここで、保持部材の側面部に形成された切欠のうち、第１方向基端側の切欠の当該第１方向の寸法は、第１方向先端側の切欠の当該第１方向の寸法に比べて大きい。このため、保持部材及び記憶媒体の一部のみが開口に挿入されている状態で、当該保持部材及び記憶媒体を第２方向に摺動させようとすると、各切欠の位置と各突出部の位置とが合わないため、保持部材及び記憶媒体の第２方向への摺動が規制される。また、当該状態で、第３方向を軸として保持部材及び記憶媒体を回動させようとした場合、突出部に、側面部における各切欠が形成されていない部分が当接するため、当該保持部材及び記憶媒体の回動が規制される。
従って、保持部材の複数の切欠に応じた位置に、複数の突出部が位置する場合にのみ、保持部材及び記憶媒体の第２方向への摺動が許容され、当該記憶媒体の端子を接続部に接続することができるので、記憶媒体と接続部とを適切に接続することができる。
【００２３】
本発明では、当該保持部材が前記開口に挿入された際に、当該開口端縁に当接する当接部が設けられていることが好ましい。
本発明によれば、開口端縁に当接する当接部が保持部材に設けられているので、前述の電子機器と同様に、当接部が開口端縁に当接するまで当該開口に保持部材及び記憶媒体を挿入すれば、保持部材及び記憶媒体の開口への挿入が完了することとなる。従って、保持部材及び記憶媒体の必要な挿入量を分かりやすくすることができる。
また、当接部が開口端縁に沿って摺動することとなるので、保持部材及び記憶媒体の第２方向への摺動を適切かつ容易に行うことができる。従って、接続部と記憶媒体の端子とを適切かつ容易に行うことができる。
【００２４】
本発明では、前記複数の切欠の端縁は、角が取れた曲線形状を有することが好ましい。
本発明によれば、各切欠内に突出部が嵌まり込む際に、当該切欠の端縁と突出部とが引っ掛かることを防ぐことができる。従って、切欠と突出部との位置合わせを容易に行うことができ、ひいては、記憶媒体の端子と接続部との接続を一層容易に行うことができる。
【００２５】
本発明では、当該保持部材の前記開口への挿入方向側とは反対側に設けられ、前記側面部に交差する他の側面部を備え、前記他の側面部には、当該保持部材を把持するための把手が設けられていることが好ましい。
本発明によれば、前述の電子機器と同様に、保持部材及び記憶媒体を電子機器の開口に挿入する際に、当該挿入方向とは反対側に位置する保持部材の他の側面部に把手が設けられていることにより、開口への挿入が完了しても保持部材を保持することができる。従って、保持部材及び記憶媒体の開口への挿入を一層容易に行うことができるほか、当該保持部材及び記憶倍体の接続部に近接する方向への摺動を容易に行うことができる。
【００２６】
本発明では、前記記憶媒体は、ハードディスクドライブであることが好ましい。
本発明によれば、前述の電子機器の場合と同様に、記憶容量の大きなハードディスクドライブを電子機器に適切に取り付けることができ、ハードディスクドライブの端子と接続部との接続を容易に行うことができる。
【発明を実施するための最良の形態】
【００２７】
以下、本発明の一実施形態を図面に基づいて説明する。
（１）情報処理装置１の構成
図１は、本実施形態に係る情報処理装置１を正面側から見た斜視図である。なお、図１においては、上部筐体２１に取り付けられた蓋部材２３を開放した状態を示している。
本実施形態の情報処理装置１は、使用者が操作するコントローラ（図示略）からの指示に応じて、あるいは自動で、ＣＤ、ＤＶＤ及びＢＤ等の光ディスク等の記録媒体や、各種半導体メモリカード及びＨＤＤ（Hard Disk Drive）等の記憶媒体に記録または記憶された情報、並びに、接続されたネットワークから情報を取得し、当該取得情報に含まれる画像情報及び音声情報を再生するほか、当該取得情報に含まれるプログラムを実行する電子機器である。また、この情報処理装置１は、使用する光ディスクの種類によっては、当該光ディスクに対する情報の記録を行うことができるほか、装着された半導体メモリカード及びＨＤＤ等の記憶媒体への情報の記録を行うことができるように構成されている。このような情報処理装置１は、図示を省略するが、テレビジョン受像機等の画像表示装置と電気的に接続されており、コントローラを使用者が操作することにより、使用者の操作に応じた所定の処理を行い、当該処理結果から画像信号及び音声信号を当該画像表示装置に出力する。
この情報処理装置１は、外装筐体２（図１〜図３）と、当該外装筐体２内に収納される装置本体３（図４〜図６）とを備えて構成されている。
【００２８】
（２）外装筐体２の構成
外装筐体２は、図１に示すように、全体略楕円柱状を有している。このような外装筐体２は、蓋部材２３及び化粧板２４が取り付けられる上部筐体２１と、下部筐体２２とから構成されている。
【００２９】
（2-1）上部筐体２１の構成
上部筐体２１は、円弧状の湾曲部分を有する箱型形状に形成され、下部筐体２２と組み合わされてねじ固定される。この上部筐体２１には、正面部２１１（図１）、化粧板２４が取り付けられる上面部（図示省略）及び側面部２１３（図１），２１４（図２）が形成されている。
【００３０】
正面部２１１は、図１において示す手前側の面であり、当該正面部２１１の略中央及び左端には、面外方向に突出する突出部２１１１，２１１２が設けられている。これら突出部２１１１，２１１２に挟まれた領域には、カードスロット部２１１３が形成されており、当該カードスロット部２１１３には、各種半導体メモリカード（以下、「メモリカード」と略す場合がある）を挿抜可能な３つの開口２１１３１が形成されている。これら開口２１１３１を介して、外装筐体２内に設けられた後述するリーダライタ３５１の各種メモリカードに対応する挿入部が露出する。なお、このカードスロット部２１１３は、上部筐体２１に回動時材に支持された蓋部材２３により覆われている。
正面部２１１の右側には、直径１２ｃｍの光ディスクに対応したディスク挿入口２１１４が正面部２１１の長手方向に沿って形成されている。このディスク挿入口２１１４に挿入された光ディスクは、後述する装置本体３を構成するディスクユニット３３に挿入される。
【００３１】
（2-2）下部筐体２２の構成
下部筐体２２は、図１に示すように、直方体と半円柱とを組み合わせた形状を有し、半円柱状部分を向い合わせるように前述の上部筐体２１と組み合わさる。
この下部筐体２２は、上部筐体２１と対向する側に、後述する装置本体３を収納するための開口を有し、当該下部筐体２２には、正面部２２１（図１）、側面部２２２（図１），２２３（図２）、背面部２２４（図２）、脚部が設けられた底面部（図示省略）及び内面部（図示省略）が形成されている。なお、開口は、前述の上部筐体２１により閉塞される。また、図示を省略したが、底面部に設けられた脚部により、情報処理装置１は横置きが可能となっている。
【００３２】
正面部２２１（図１における手前側の部分）の左側には、４つの略矩形状を有する開口２２１１が形成されている。これら開口２２１１を介して、装置本体３を構成する制御基板５（図１０及び図１１）に設けられ、かつ、ＵＳＢ（Universal Serial Bus）規格に準拠したＡ端子を接続可能な端子５３１（図８）がそれぞれ露出する。
【００３３】
図２は、情報処理装置１を背面側から見た斜視図である。
側面部２２３の両端には、図２に示すように、ゴム等により形成された脚部２２３１が形成されている。この側面部２２３に形成された脚部２２３１、及び、当該側面部２２３と外装筐体２における同じ面を構成する上部筐体２１の側面部２１４に形成された脚部２１４１，２１４２を設置面に当接させるように配置することで、情報処理装置１の縦置きが可能となっている。
また、側面部２２３の略中央には、略矩形状の開口２２３２が形成されており、当該開口２２３２を介して、後述するＨＤＤ（Hard Disk Drive）ユニット３８が取り付けられる。この開口２２３２は、当該開口２２３２に応じた形状を有する蓋部材２５により閉塞されている。
さらに、開口２２３２の下方には、側面部２２３の長手方向に沿って複数の吸気口２２３３が形成されている。
【００３４】
背面部２２４には、図２に示すように、外装筐体２内部に収納された制御基板５に設けられた各種端子が露出する開口２２４１〜２２４４が、当該背面部２２４の長手方向に沿って形成されている。
具体的に、開口２２４１〜２２４４には、ＨＤＭＩ（High-Definition Multimedia Interface）端子、ＩＥＥＥ８０２．３ｉに準拠し、１０Ｂａｓｅ−Ｔ及び１００Ｂａｓｅ−ＴＸ等のＬＡＮ（Local Area Network）ケーブルが接続可能な端子、ＵＳＢ規格に準拠したＢ端子が接続可能な端子、及び、一端側に映像用の１本の端子及び音声用の２本の端子が設けられた同軸ケーブルの他端側が接続可能な端子がそれぞれ露出する。
さらに、背面部２２４における右端には、主電源をオン／オフする電源スイッチ２２４５が設けられ、当該電源スイッチ２２４５の下方に、電源ケーブル（図示省略）が接続されるインレットコネクタ２２４７が露出する開口２２４６が形成されている。
【００３５】
（３）装置本体３の構成
図３は、装置本体３を正面側から見た斜視図であり、図４は、装置本体３を示す分解斜視図である。
装置本体３は、本発明の機器本体に相当し、外装筐体２内に収納されている。この装置本体３は、図３及び図４に示すように、制御ユニット３１、冷却ユニット３２、ディスクユニット３３、電源ユニット３４、リーダライタユニット３５、板ばね３６（図４）及びねじ（図４）を備えて構成されている。そして、装置本体３は、これら各ユニット３１〜３５及び板ばね３６が互いにねじ３７等により固定され、一体的に組み合わさっている。
【００３６】
このうち、ディスクユニット３３は、後述する制御ユニット３１による制御下で、ディスク挿入口２１１４（図１）を介して挿入された前述の各種光ディスクに記録された画像、映像及びプログラム等の情報を読出し、当該情報を、制御ユニット３１を構成する制御基板５に出力する。また、ディスクユニット３３は、挿入された光ディスクに対し、前述のような情報の記録を行う。
このディスクユニット３３は、詳しい図示を省略するが、ユニット本体３３１と、当該ユニット本体３３１を内部に収納する金属製の筐体３３２とを備えて構成されている。このうち、筐体３３２の正面には、直径１２ｃｍの光ディスクが挿抜される開口３３２１が形成されている。
【００３７】
電源ユニット３４は、装置本体３に駆動電力を供給するものである。具体的に、電源ユニット３４は、外装筐体２に設けられたインレットコネクタ２２４７（図２）に入力した商用交流電流を直流変換し、装置本体３を構成する各電子部品に応じた電圧に昇圧及び減圧して、当該各電子部品に供給する。この電源ユニット３４は、制御ユニット３１を構成する後述する制御基板５に設けられた電源接続端子５７（図７）と接続され、当該制御基板５を介して、各電子部品に駆動電力を供給する。
【００３８】
リーダライタユニット３５は、後述する制御基板５による制御下で、前述の上部筐体２１のカードスロット部２１１３に形成された各開口２１１３１を介して挿入された各種メモリカードに対する情報の読出及び記憶を実行する。このリーダライタユニット３５は、メモリカードが挿抜されるリーダライタ３５１と、当該リーダライタ３５１の動作を制御する基板３５２とを備えて構成されている。このうち、基板３５２には、制御基板５から制御信号が入力し、当該制御信号に応じた動作をリーダライタ３５１に実行させる。このようなリーダライタユニット３５は、後述する制御ユニット３１を構成するサブフレーム６上に支持固定される。
【００３９】
（４）制御ユニット３１の構成
制御ユニット３１は、装置本体３、ひいては、情報処理装置１の駆動を制御するユニットである。この制御ユニット３１は、図３及び図４において示したように、メインフレーム４と、制御基板５と、サブフレーム６とを備えて構成されている。
【００４０】
（4-1）メインフレーム４の構成
図５及び図６は、メインフレーム４を上方及び下方から見た斜視図である。
メインフレーム４は、後述するサブフレーム６とともに制御基板５を挟持し、後述する冷却ユニット３２上に載置されるフレーム部材である。このメインフレーム４は、平面視略長方形状を有する平板状に形成され、放熱及びＥＭＩ（Electro Magnetic Interference、電磁干渉）を考慮してアルミ等の金属により形成されている。また、メインフレーム４の中央には、図５に示すように、下面側、すなわち、制御基板５に対向する側とは反対側に没入した凹部４０が形成されている。この凹部４０と後述するサブフレーム６の凹部６０とにより形成される空間内に制御基板５が収納配置され、メインフレーム４は、当該メインフレーム４に取り付けられる制御基板５上に配設された各種チップが押圧されないように形成されている。
【００４１】
メインフレーム４には、図５及び図６に示すように、略中央に平面視略矩形状の開口４１，４２が並列するように形成されている。これら開口４１（図５における左側），４２（図５における右側）は、後述する制御基板５に配設されたＣＰＵ（Central Processing Unit）５１及びＧＰＵ（Graphics Processing Unit）５２（ともに図１１）に対応する位置に形成され、当該ＣＰＵ５１及びＧＰＵ５２は、開口４１，４２を介して、メインフレーム４の下面側に露出する。
【００４２】
また、メインフレーム４の左側（図５における左側であり、下部筐体２２の側面部２２３に近接する側）で、かつ、背面側には、略矩形状の開口４０２が形成されている。この開口４０２が形成された部分の下面側（図６における右側）には、後述するＨＤＤユニット３８が取り付けられるＨＤＤ取付部４９が設けられている。
このＨＤＤ取付部４９は、本発明の取付部に相当し、全体略直方体形状を有している。また、このＨＤＤ取付部４９の左側（下部筐体２２の側面部２２３（図２）に近接する側であり、図６における右側）には、略矩形状の開口４９１１が形成されており、当該開口４９１１及び下部筐体２２の側面部２２３に形成された開口２２３２を介して、ＨＤＤユニット３８がＨＤＤ取付部４９内に収納される。そして、開口４０２を介してＨＤＤ取付部４９内に露出する制御基板５のコネクタ５８（図８）と、ＨＤＤユニット３８の端子３８１１（図１７）とが接続されると、制御基板５による制御下で、ＨＤＤユニット３８に対する情報の読出及び記録が可能となる。なお、ＨＤＤ取付部４９の構造については、後に詳述する。
【００４３】
（4-2）制御基板５の構成
図７及び図８は、制御基板５を上方及び下方から見た斜視図である。
制御基板５は、装置本体３、ひいては、情報処理装置１全体を制御するものであり、集積回路であるＣＰＵ５１（図８における右側）及びＧＰＵ５２（図８における左側）のほか、詳しい図示を省略したが、ＲＡＭ（Random Access Memory）、ＲＯＭ（Read Only Memory）、及び、チップセット等の各種ＩＣ（Integrated Circuit）チップ等が実装された回路基板として構成されている。そして、制御基板５は、ＣＰＵ５１及びＧＰＵ５２を含めた各種ＩＣチップが実装される面、すなわち、各ＩＣチップのケーシングが配置される下面を、メインフレーム４に対向させ、かつ、抵抗等の素子の端子が露出する上面を、サブフレーム６に対向させるようにして配置される。
【００４４】
制御基板５の略中央には、図７及び図８に示すように、制御ユニット３１と後述する冷却ユニット３２とを固定するねじ３７（図７）が挿通する４つの孔部５４が形成されている。また、制御基板５の左側（図７における左側）には、略矩形の開口５０が形成され、当該開口５０には、電源接続端子５７が下方から嵌合されている。
制御基板５の下面側（メインフレーム４に対向する側）で、かつ、正面側（図８における手前側）には、図８に示すように、２つのＵＳＢ端子５３１が設けられた端子接続部５３が、並列するように２つ設けられている。これら端子接続部５３は、メインフレーム４を挿通し、下部筐体２２の開口２２１１から露出する。これらＵＳＢ端子５３１は、ＵＳＢ規格に準拠したコネクタのＡ端子が挿抜可能に構成されている。
【００４５】
また、制御基板５の下面側には、図８に示すように、後述するＨＤＤユニット３８が接続されるコネクタ５８、並びに、下部筐体２２の背面部２２４に形成された開口２２４１〜２２４４から露出する各種端子５９（開口２２４４から露出する端子は図示省略）等が設けられている。
このうち、コネクタ５８は、ＨＤＤユニット３８に設けられた端子３８１１と接続される端子を内部に有する接続部５８１と、当該接続部５８１を支持する支持部５８２とを備え、これら接続部５８１と支持部５８２とが組み合わされ、図８における左右方向のうちいずれか一方向から見た場合に、制御基板５の中央に向かって開口した略Ｕ字状に構成されている。
【００４６】
接続部５８１は、側面視略逆Ｌ字状に形成されており、一端が支持部５８２から突出するように当該支持部５８２に取り付けられている。この接続部５８１における支持部５８２からの突出方向先端側の面には、ＨＤＤユニット３８の端子３８１１が挿抜される開口５８１１が形成され、当該開口５８１１の内側には、当該端子３８１１に接続される端子が内蔵されている。また、この開口５８１１の幅方向両端には、当該開口５８１１を挟むように、開口５８１１の形成位置より突出したピン５８１２が形成されている。これらピン５８１２は、端子３８１１が開口５８１１に挿入される際に、当該端子３８１１を案内する。
【００４７】
このような接続部５８１は、支持部５８２からの突出方向とは反対方向、及び、当該突出方向に略直交する方向に揺動可能に、当該支持部５８２に取り付けられている。このため、開口５８１１に対するＨＤＤユニット３８の端子３８１１の位置がずれた場合でも、接続部５８１が揺動して、当該開口５８１１内に端子３８１１が適切に挿入される。また、このように接続部５８１全体が支持部５８２に対して揺動することにより、接続部５８１内に設けられた端子同士が接触することを防ぐことができる。
【００４８】
支持部５８２は、側面視略Ｌ字状に形成され、制御基板５上に取り付けられている。この支持部５８２における制御基板５に近接する側には、制御基板５の下面と略平行で、かつ、接続部５８１の突出方向と同方向に突出する突出部５８２１が形成されている。
この突出部５８２１は、接続部５８１より支持部５８２からの突出量が大きい板状に形成されており、当該突出部５８２１は、メインフレーム４の開口４０２を介してＨＤＤ取付部４９の端部側に位置した際に、後述するＨＤＤ取付部４９の切欠４９２１（図１５）の上面４９３側の部分を塞ぐように配置される。このため、前述の下部筐体２２に形成された開口２２３２が開放された際に、ＨＤＤ取付部４９を介して、制御基板５上の電子部品を目視しづらくしている。
【００４９】
（4-3）サブフレーム６の構成
サブフレーム６は、メインフレーム４とともに制御基板５を支持するとともに、前述のディスクユニット３３、電源ユニット３４及びリーダライタユニット３５を支持するフレーム部材である。このサブフレーム６は、メインフレーム４と同様に、放熱及びＥＭＩを考慮してアルミ等の金属により形成されている。このサブフレーム６は、図４において示したように、平面視略長方形状の平板状に形成され、略中央部分には、制御基板５と対向する側とは反対側に没入した凹部６０が形成されている。そして、前述のように、凹部６０と、メインフレーム４の凹部４０とにより形成される空間内に、前述の制御基板５が収納配置される。
また、サブフレーム６には、制御基板５のＣＰＵ５１及びＧＰＵ５２に応じた略中央に、板ばね３６が嵌まり込む開口６１（図４における左側），６２（図４における右側）が形成されている。さらに、図示を省略したが、サブフレーム６の下面側（制御基板５と対向する側）には、開口６０，６１の一部を塞ぎ、かつ、制御基板５と板ばね３６との間に介装される板状体が設けられている。
【００５０】
（５）冷却ユニット３２の構成
図９は、制御ユニット３１に組み合わせた冷却ユニット３２を下方から見た斜視図である。
冷却ユニット３２は、前述のように、板ばね３６により、制御ユニット３１と一体となり、当該制御ユニット３１を構成する制御基板５を冷却するほか、外装筐体２外部から冷却空気を導入する過程で、当該冷却空気の流路上に位置する電源ユニット３４やＨＤＤユニット３８等を冷却する冷却手段である。この冷却ユニット３２は、図９に示すように、一部がメインフレーム４のＨＤＤ取付部４９を覆うようにして配置される。
【００５１】
冷却ユニット３２は、略円筒状の回転軸の外周に放射状に形成された羽根部材３２１１を有し、かつ、当該回転軸及び羽根部材３２１１を回転させるモータ（図示省略）を備えた送風部３２１と、これらを内部に収納する筐体３２２とを備えて構成されている。
このうち、筐体３２２における下部筐体２２の底面に対向する下面部３２３には、図９に示すように、略円形状の吸気口３２３１が形成されている。また、当該筐体３２２の側面のうち、互いに直交する側面には、排気口３２７，３２８が形成されている。
【００５２】
（６）ＨＤＤ取付部４９の構成
図１０は、蓋部材２５を取り外した状態の情報処理装置１を側面部２２３側から見た概要斜視図である。また、図１１は、ＨＤＤユニット３８と外装筐体２とを示す斜視図であり、図１２は、ＨＤＤユニット３８を開口２２３２に挿入した状態の情報処理装置１を拡大して示す概要斜視図である。
外装筐体２を構成する下部筐体２２の側面部２２３には、前述のように、開口２２３２が形成されており、図１０に示すように、当該開口２２３２を介して、ＨＤＤユニット３８は、外装筐体２内部に収納される。この開口２２３２の内側には、図１１に示すように、前述の制御ユニット３１のメインフレーム４に設けられたＨＤＤ取付部４９が接続されている。そして、図１２に示すように、開口２２３２を介してＨＤＤユニット３８をＨＤＤ取付部４９の開口４９１１内に挿入し、図１０に示すように、当該ＨＤＤユニット３８の挿入方向に直交する方向である背面部２２４側に摺動させることにより、ＨＤＤユニット３８は、前述のコネクタ５８に接続される。
【００５３】
図１３は、ＨＤＤ取付部４９と、当該ＨＤＤ取付部４９内に収納されたＨＤＤユニット３８とを示す斜視図である。
ＨＤＤ取付部４９は、図１３に示すように、放熱及びＥＭＩを考慮してアルミや鉄等の金属により形成された全体略直方体形状の枠状体であり、全体に冷却空気を導入するための略円形状の複数の穴が穿設されている。このＨＤＤ取付部４９は、ＨＤＤユニット３８に応じた形状に形成されている。具体的に、ＨＤＤ取付部４９は、開口４９１１から見て、当該ＨＤＤ取付部４９内の奥行き方向（図１３におけるＸ方向）の寸法、及び、高さ方向（図１３におけるＺ方向）の寸法が、ＨＤＤユニット３８のそれぞれ同じ方向の寸法と略同じとなり、当該ＨＤＤ取付部４９内の幅方向（図１３におけるＹ方向）の寸法が、ＨＤＤユニット３８の同じ方向の寸法より大きくなるように形成されている。そして、これら各方向のうち、奥行き方向（Ｘ方向）は、ＨＤＤユニット３８の開口４９１１への挿入方向（本発明の第１方向）であり、幅方向（Ｙ方向）は、ＨＤＤユニット３８のＨＤＤ取付部４９内における摺動方向、すなわち、ＨＤＤ取付部４９内に収納されたＨＤＤユニット３８がコネクタ５８（図８）に近接する方向（本発明の第２方向）である。また、高さ方向（Ｚ方向）は、これらＸ方向及びＹ方向に直交する方向（本発明の第３方向）である。
【００５４】
図１４は、ＨＤＤ取付部４９を示す側面図である。具体的に、図１４は、ＨＤＤ取付部４９を開口４９１１側から見た側面図である。なお、以下の図１４〜図２２に示すＸ、Ｙ及びＺ方向は、図１３で示した各方向と同じである。
ＨＤＤ取付部４９の幅方向（Ｙ方向）に沿った側面のうち、側面部２２３に形成された開口２２３２に対向する側面４９１には、図１３及び図１４に示すように、当該開口２２３２に接続される開口４９１１が形成され、当該開口４９１１を介して、ＨＤＤユニット３８がＨＤＤ取付部４９内に挿入される。また、ＨＤＤ取付部４９には、開口４９１１のＺ方向とは反対方向（下部筐体２２の底面に向かう方向）側の端縁から垂下する正面視略矩形状の垂下部４９１２が形成されている。
【００５５】
この垂下部４９１２には、開口４９１１と接続され、かつ、ＨＤＤ取付部４９の内側に向かって没入したガイド部４９１３が形成されている。このガイド部４９１３は、正面視略逆台形形状に形成されており、当該ガイド部４９１３には、後述するＨＤＤユニット３８の当接部３８２１１が当接する。そして、このガイド部４９１３は、ＨＤＤユニット３８のＨＤＤ取付部４９内でのＹ方向への摺動を案内するとともに、摺動範囲を規定している。また、このガイド部４９１３内には、ＨＤＤユニット３８をＨＤＤ取付部４９内に固定するねじ３８３（図１３）が取り付けられる孔部４９１４が形成されている。
【００５６】
図１５は、ＨＤＤ取付部４９を示す平面図である。詳述すると、図１５は、ＨＤＤ取付部４９をメインフレーム４に対向する側から見た図である。また、図１６は、ＨＤＤ取付部４９とコネクタ５８とを示す斜視図である。
ＨＤＤ取付部４９の側面４９１に直交する面のうち、Ｙ方向先端側に位置する側面４９２には、図１５及び図１６に示すように、略中央部分に切欠４９２１が形成されている。この切欠４９２１は、一部が上面４９３に延出しており、このため、上面４９３は、側面４９２側が略半長円形状に切り欠かれている。
【００５７】
ＨＤＤ取付部４９の底面４９４、すなわち、下部筐体２２に対向し、Ｚ方向の基端側に位置する底面４９４には、側面４９２側（Ｙ方向側）に延出する２つの延出部４９４１が形成されている。これら延出部４９４１には、制御基板５に設けられたコネクタ５８の支持部５８２がねじ４９４２により固定される。これにより、側面４９２に形成された切欠４９２１内にコネクタ５８が位置し、当該コネクタ５８を構成する接続部５８１の開口５８１１及びピン５８１２が、ＨＤＤ取付部４９内に配置される。この際、コネクタ５８の支持部５８２に形成された突出部５８２１（図８）が、上面４９３の切欠部分に嵌まり込み、当該切欠部分を介して、制御基板５上の電子部品が露出することが防がれる。さらに、コネクタ５８と、金属製のＨＤＤ取付部４９とが接続されるので、当該コネクタ５８に流れる不要な輻射ノイズをＨＤＤ取付部４９に導通させることができ、ＥＭＩ対策を施すことができる。
【００５８】
また、底面４９４の側面４９２に近接する位置には、上面４９３に向かって（Ｚ方向先端側に向かって）突出した２つの突出部４９４３，４９４４が形成されている。具体的に、突出部４９４３，４９４４は、底面４９４において、側面４９１に形成された開口４９１１のＹ方向の端縁から、側面４９２の切欠４９２１から露出するコネクタ５８の接続部５８１に至る範囲内で、かつ、Ｘ方向に沿った直線上に所定の間隔を隔てて形成されている。
【００５９】
このうち、開口４９１１に近接する側に形成された突出部４９４３は、平面視略長円形状に形成され、開口４９１１から離間する側に形成された突出部４９４４は、平面視略円形状に形成されている。これら突出部４９４３，４９４４の高さ方向（Ｚ方向）の寸法は、後述するＨＤＤユニット３８を構成する保持部材３８２の底面部３８２２（図１８）の厚さ寸法程度に設定されており、当該突出部４９４３，４９４４は、ＨＤＤユニット３８がコネクタ５８と接続される際に、当該ＨＤＤユニット３８を構成するＨＤＤ３８１の端子３８１１（図１７）に干渉しないように形成されている。これら突出部４９４３，４９４４は、ＨＤＤユニット３８が、ＨＤＤ取付部４９内に挿入され、Ｙ方向に摺動した際に、保持部材３８２に形成された切欠３８２２３，３８２２４（図１８及び図１９）に嵌まり込むことで、ＨＤＤ３８１の端子３８１１とコネクタ５８の接続部５８１との位置合わせが行われ、当該ＨＤＤ３８１の接続部５８１への接続が案内される。
【００６０】
（７）ＨＤＤユニット３８の構成
図１７は、ＨＤＤユニット３８を示す斜視図である。
ＨＤＤユニット３８は、前述のように、画像情報、音声情報及び各種プログラムを記憶可能に構成されており、制御基板５による制御下で駆動して、記憶した情報を制御基板５に出力し、また、当該制御基板５から入力する情報を記憶する記憶装置である。このＨＤＤユニット３８は、図１７に示すように、記憶媒体としてのＨＤＤ３８１と、当該ＨＤＤ３８１を保持する保持部材３８２とを備えて構成されている。
このうち、ＨＤＤ３８１は、本実施形態では、２．５インチのＨＤＤであり、Ｙ方向先端側に位置する側面に、前述のコネクタ５８の接続部５８１に接続される端子３８１１が設けられている。この端子３８１１は、SerialＡＴＡ規格に準拠したホットプラグ対応の端子で構成されているが、例えば、UltraＡＴＡ規格やＳＣＳＩ規格等の他の規格に準拠した端子で構成してもよい。
【００６１】
保持部材３８２は、Ｙ方向から見て略Ｕ字状を有する部材であり、ＨＤＤユニット３８をＨＤＤ取付部４９の開口４９１１に挿入する側に形成された側面部３８２３と、当該側面部３８２３とは反対側に形成された側面部３８２１と、当該側面部３８２１，３８２３にそれぞれ直交し、かつ、ＨＤＤ３８１が載置される底面部３８２２とを備えて構成されている。
側面部３８２１は、本発明の他の側面部に相当し、正面視略長方形状に形成され、ＨＤＤ３８の側方を覆う寸法に形成されている。この側面部３８２１には、幅方向（Ｙ方向）の両端近傍に、２つの孔部（図示省略）が形成されており、当該孔部には、保持部材３８２にＨＤＤ３８１を固定するねじ３８４が挿通する。
【００６２】
また、側面部３８２１の略中央には、下方（Ｚ方向とは反対方向）に延出し、前述のＨＤＤ取付部４９に形成されたガイド部４９１３（図１４）に当接する当接部３８２１１が形成されている。この当接部３８２１１におけるＨＤＤユニット３８の挿入方向先端側（Ｘ方向先端側）の面が、ガイド部４９１３に当接し、当該ガイド部４９１３に沿って摺動することにより、ＨＤＤユニット３８のＹ方向への摺動が案内されるとともに、当該Ｙ方向への摺動範囲が規定される。そして、当接部３８２１１の略中央には、略矩形状の孔部３８２１２が形成されており、当該孔部３８２１２には、ＨＤＤユニット３８をＨＤＤ取付部４９に固定する前述のねじ３８３（図１３）が挿通する。
【００６３】
さらに、側面部３８２１の略中央には、高さ方向（Ｚ方向）に沿って２つの取付部３８２１３が突設され、当該取付部３８２１３には、ＨＤＤユニット３８を把持するための把手３８５が回動自在に取り付けられている。
具体的に、把手３８５は、互いに平行で、かつ、逆方向に延出した２つの延出部３８５１と、これら延出部３８５１に挟まれ略Ｕ字状に形成された把持部３８５２とを有している。そして、これら延出部３８５１は、取付部３８２１３にＺ方向を軸として回動自在に取り付けられており、これにより、把持部３８５２が図１７における手前側に回動することで、ＨＤＤユニット３８を把持できるように構成されている。
【００６４】
図１８は、ＨＤＤユニット３８を構成する保持部材３８２を示す平面図である。
底面部３８２２は、本発明の側面部に相当し、ＨＤＤ３８１の底面寸法に応じた平面視略矩形状に形成されている。この底面部３８２２には、図１８に示すように、ＨＤＤ３８１に冷却空気を導入するための複数の孔部が穿設されている。
また、底面部３８２２におけるＨＤＤ３８１に対向する面の四隅には、当該ＨＤＤ３８１の位置ずれを防止する突出部３８２２１がそれぞれ形成され、また、Ｙ方向先端側の端部の隅部には、ＨＤＤ３８１を保持部材３８２に固定するねじ（図示省略）が挿通する孔部３８２２２が形成されている。
【００６５】
図１９は、ＨＤＤ取付部４９にＨＤＤユニット３８を取り付けた状態を底面側から見た斜視図である。なお、図１９においては、ＨＤＤユニット３８を構成するＨＤＤ３８１の図示を省略している。
さらに、底面部３８２２におけるＹ方向先端側の端部には、図１８及び図１９に示すように、それぞれ寸法の異なる平面視略矩形状の切欠３８２２３，３８２２４が形成されている。詳述すると、側面部３８２１に近接する側の切欠３８２２３は、当該側面部３８２１から離間する側の切欠３８２２４に比べて大きく形成されている。これら切欠３８２２３，３８２２４は、前述のＨＤＤ取付部４９に形成された突出部４９４３，４９４４（図１５及び図１６）に応じた寸法で形成されている。具体的に、切欠３８２２３は、突出部４９４３に応じた寸法に形成され、切欠３８２２４は、突出部４９４４に応じた寸法に形成されている。また、これら切欠３８２２３，３８２２４の端縁は、角が取れた曲線形状を有している。そして、切欠３８２２３，３８２２４には、ＨＤＤユニット３８をＨＤＤ取付部４９に取り付けた際に、図１９に示すように、突出部４９４３，４９４４がそれぞれ嵌まり込む。
【００６６】
（８）ＨＤＤユニット３８のＨＤＤ取付部４９への取付
以下に、ＨＤＤユニット３８のＨＤＤ取付部４９への取付について説明する。
図２０は、ＨＤＤユニット３８の一部をＨＤＤ取付部４９の開口４９１１に挿入した状態を示す模式図であり、図２１は、ＨＤＤユニット３８を完全にＨＤＤ取付部４９に挿入した状態を示す模式図である。また、図２２は、ＨＤＤユニット３８を摺動させてＨＤＤ取付部４９に取り付けた状態を示す模式図である。なお、図２０〜図２２においては、ＨＤＤ３８１の図示を省略している。
まず、把手３８５を把持した状態で、当該把手３８５が設けられた側面部３８２１とは反対側、すなわち、側面部３８２３側から、下部筐体２２の開口２２３２及びＨＤＤ取付部４９の開口４９１１を介して、ＨＤＤ取付部４９内に挿入する。この際、ＨＤＤユニット３８の保持部材３８２に形成された側面部３８２１の当接部３８２１１（図１７）と、ＨＤＤ取付部４９の側面４９１に形成されたガイド部４９１３（図１３及び図１４）とが対応するようにして、ＨＤＤユニット３８を、ＨＤＤ取付部４９に挿入する。
【００６７】
この時、ＨＤＤユニット３８の一部のみがＨＤＤ取付部４９内に挿入された状態では、図２０に示すように、ＨＤＤユニット３８の保持部材３８２に形成された切欠３８２２３，３８２２４と、ＨＤＤ取付部４９の突出部４９４３，４９４４とのそれぞれの位置が対応していない。このため、高さ方向（Ｚ方向）を回動軸としてＨＤＤユニット３８を回動しようとしても、切欠３８２２３，３８２２４に突出部４９４３，４９４４が嵌まり込まず、コネクタ５８に近接する側（Ｙ方向先端側）の底面部３８２２の端部のうち、切欠３８２２３，３８２２４が形成されていない部分が、これら突出部４９４３，４９４４に当たるため、当該ＨＤＤユニット３８の回動が規制される。また、この状態でＨＤＤユニット３８をＹ方向に摺動させようとした場合でも、底面部３８２２のＹ方向側端部が、開口４９１１の端縁、及び、突出部４９４３にそれぞれ当たるため、ＨＤＤユニット３８のＹ方向への摺動が規制される。これにより、ＨＤＤユニット３８のＹ方向側の端部がコネクタ５８に傾斜して当接し、当該コネクタ５８が損傷することを防ぐことができる。
【００６８】
ＨＤＤユニット３８をＨＤＤ取付部４９内に挿入していくと、ＨＤＤユニット３８の保持部材３８２に形成された当接部３８２１１（図１７）が、ＨＤＤ取付部４９のガイド部４９１３（図１３及び図１４）に当接し、当該ＨＤＤユニット３８のＸ方向への更なる挿入が規制される。これにより、ＨＤＤユニット３８のＨＤＤ取付部４９への挿入が完了したこととなる。
この状態では、図２１に示すように、保持部材３８２に形成された切欠３８２２３，３８２２４と、ＨＤＤ取付部４９に形成された突出部４９４３，４９４４との位置が対応する。具体的に、開口４９１１に近接する側に形成された平面視長円形状の突出部４９４３に対して、幅寸法の大きい切欠３８２２３が対応する位置に配置され、かつ、開口４９１１から離間する側に平面視略円形状に形成された突出部４９４４に対して、幅寸法の小さい切欠３８２２４が対応する位置に配置される。
【００６９】
このように、当接部３８２１１がガイド部４９１３に当接した状態で、当該当接部３８２１１がガイド部４９１３に沿うようにして、ＨＤＤユニット３８をコネクタ５８に近接する方向（Ｙ方向）に摺動させると、図２２に示すように、保持部材３８２に形成された切欠３８２２３，３８２２４に突出部４９４３，４９４４が嵌まり込み、ＨＤＤユニット３８のＹ方向への更なる摺動が可能となる。そして、ガイド部４９１３により、当接部３８２１１のＹ方向への摺動が規制されるまで、ＨＤＤユニット３８をＹ方向に摺動させると、当該ＨＤＤユニット３８のＨＤＤ３８１に設けられた端子３８１１（図１７）がコネクタ５８の接続部５８１（図１６）に接続される。これにより、ＨＤＤユニット３８のＨＤＤ取付部４９への取付が完了する。
この後、ＨＤＤユニット３８の保持部材３８２に設けられた把手３８５を、側面部３８２１に沿わせ、下部筐体２２に形成された開口２２３２を蓋部材２５により閉塞することにより、ＨＤＤユニット３８の情報処理装置１への取付が完了する。
【００７０】
（９）実施形態の効果
以上のような本実施形態の情報処理装置１によれば、以下の効果を奏することができる。
すなわち、ＨＤＤ取付部４９の底面４９４におけるコネクタ５８側の端部近傍で、かつ、ＨＤＤユニット３８の挿入方向（Ｘ方向）に沿った直線上に、２つの突出部４９４３，４９４４が形成され、ＨＤＤユニット３８の保持部材３８２の底面部３８２２には、当該突出部４９４３，４９４４が嵌まり込む切欠３８２２３，３８２２４が形成されている。これら突出部４９４３，４９４４のうち、開口４９１１に近接する側に形成された突出部４９４３の当該挿入方向の寸法は、開口４９１１から離間した側に形成された突出部４９４４の寸法より大きく形成されている。
【００７１】
これによれば、ＨＤＤユニット３８を、開口４９１１を介してＨＤＤ取付部４９内に挿入する際に、突出部４９４３，４９４４が形成された底面４９４と、切欠３８２２３，３８２２４が形成された底面部３８２２とが互いに対向する向きでＨＤＤユニット３８を挿入しないと、コネクタ５８に向かって（すなわち、Ｙ方向に向かって）ＨＤＤユニット３８を摺動させても、突出部４９４３，４９４４が切欠３８２２３，３８２２４に嵌まり込まないため、ＨＤＤ３８の端子３８１１とコネクタ５８の接続部５８１とが接続されない。このため、端子３８１１と接続部５８１とが誤った向きでは接触しないため、接続部５８１を保護することができる。
【００７２】
また、同様に、ＨＤＤユニット３８の一部が、ＨＤＤ取付部４９内に挿入された状態では、突出部４９４３，４９４４と切欠３８２２３，３８２２４との位置が合わないため、当該状態でＨＤＤユニット３８を回動させても、突出部４９４３，４９４４に保持部材３８２の底面部３８２２におけるＹ方向側の端部が当たる。このため、端子３８１１が接続部５８１に傾斜した状態で当接することがないので、同じく接続部５８１を保護することができる。従って、適切な向きで、かつ、適切な位置までＨＤＤユニット３８がＨＤＤ取付部４９内に挿入されない場合には、コネクタ５８への端子３８１１の接続が規制されるので、端子３８１１及び接続部５８１の損傷を防ぐことができる。また、これにより、突出部４９４３，４９４４と切欠３８２２３，３８２２４との位置が合うようにＨＤＤユニット３８を挿入した場合に、適切に端子３８１１と接続部５８１とを接続することができる。
【００７３】
さらに、ＨＤＤ取付部４９は、枠状に形成され、当該ＨＤＤ取付部４９の内部におけるＨＤＤユニット３８の挿入方向（Ｘ方向）及び高さ方向（Ｚ方向）の寸法は、ＨＤＤユニット３８における同方向の寸法とそれぞれ略同じであり、また、当該内部におけるＨＤＤユニット３８の摺動方向（Ｙ方向）の寸法は、ＨＤＤユニット３８の同方向の寸法より大きい。これによれば、ＨＤＤ取付部４９にＨＤＤユニット３８を挿入した際には、当該挿入方向（Ｘ方向）及び高さ方向（Ｚ方向）の動きが規制されるので、ＨＤＤ取付部４９内でのＨＤＤユニット３８のがた付きを抑制することができる。また、ＨＤＤユニット３８を摺動方向（Ｙ方向）に摺動させる場合には、上記のような寸法に形成された枠状のＨＤＤ取付部４９により当該摺動が案内されるので、ＨＤＤユニット３８の摺動を容易に行うことができ、コネクタ５８との接続工程を簡略化することができる。
【００７４】
また、突出部４９４３，４９４４がＨＤＤ取付部４９に形成され、当該突出部４９４３，４９４４に応じた切欠３８２２３，３８２２４がＨＤＤユニット３８の保持部材３８２に形成されている。これによれば、保持部材３８２側に突出部を設けた場合のように、厚さ寸法が大きくなることを防ぐことができる。従って、ＨＤＤユニット３８の小型化を図ることができ、当該ＨＤＤユニット３８の取扱いを簡略化することができる。
【００７５】
また、開口４９１１の下方に垂下する垂下部４９１２には、凹状のガイド部４９１３が形成され、保持部材３８２には、当該ガイド部４９１３に当接する当接部３８２１１が形成されている。これによれば、ＨＤＤ取付部４９に対するＨＤＤユニット３８の向きを分かりやすくすることができるとともに、ＨＤＤユニット３８の摺動時の位置ずれを防止することができる。従って、開口４９１１へのＨＤＤユニット３８の誤挿入を防止することができるとともに、当該ＨＤＤユニット３８の摺動を一層容易に行うことができる。
【００７６】
また、突出部４９４３，４９４４は、それぞれ平面視略長円形状及び円形状に形成され、ＨＤＤユニット３８の挿入方向に沿った両端が曲面形状を有している。ここで、突出部に角が形成されている場合には、当該角と切欠３８２２３，３８２２４の端縁とが引っ掛かりやすくなるため、適切に切欠３８２２３，３８２２４内に突出部を配置させることが煩雑となる。これに対し、突出部４９４３，４９４４が前述の形状を有していることにより、ＨＤＤユニット３８をコネクタ５８に向かって摺動させる際に、当該突出部４９４３、４９４４を切欠３８２２３，３８２２４内に配置させやすくすることができる。
さらに、切欠３８２２３，３８２２４の端縁は、角が取れた曲線形状を有するので、このような突出部４９４３，４９４４と切欠３８２２３，３８２２４の端縁との引っ掛かりを一層抑制することができる。
従って、突出部４９４３，４９４４を切欠３８２２３，３８２２４内に速やかに嵌め込むことができ、ＨＤＤユニット３８をコネクタ５８に迅速かつ適切に接続することができる。
【００７７】
また、ＨＤＤユニット３８を構成する保持部材３８２の側面部３８２１には、把手３８５が設けられている。この側面部３８２１は、当該ＨＤＤユニット３８の挿入方向とは反対側の部分であり、ＨＤＤユニット３８を挿入する際に、開口４９１１の外側に露出する部分である。これによれば、把手３８５によりＨＤＤユニット３８を把持したまま、開口４９１１に挿入することができ、また、当該ＨＤＤユニット３８をコネクタ５８側に摺動させることができる。従って、ＨＤＤユニット３８の開口４９１１への挿入動作、及び、コネクタ５８への接続動作を一層簡易に行うことができる。
【００７８】
さらに、ＨＤＤユニット３８は、ＨＤＤ３８１を備えて構成されており、当該ＨＤＤ３８１より小さなコネクタ５８の接続部５８１と、ＨＤＤ３８１の端子３８１１とを接続する必要がある。これに対し、ＨＤＤユニット３８の保持部材３８２に形成された切欠３８２２３，３８２２４と、ＨＤＤ取付部４９に形成された突出部４９４３，４９４４とにより、端子３８１１と接続部５８１との接続時のＨＤＤユニット３８とコネクタ５８との位置合わせを容易に、かつ、適切に行うことができる。従って、ＨＤＤ３８１のように大きな寸法を有する記憶媒体であっても、外装筐体２外から内部に設けられたＨＤＤ取付部４９及びコネクタ５８に対して、取付及び接続の各動作を簡易に行うことができる。
【００７９】
（１０）実施形態の変形
本発明を実施するための最良の構成などは、以上の記載で開示されているが、本発明はこれに限定されるものではない。すなわち、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００８０】
前記実施形態では、ＨＤＤ取付部４９に２つの突出部４９４３，４９４４を形成し、ＨＤＤユニット３８の保持部材３８２に当該突出部４９４３，４９４４に応じた切欠３８２２３，３８２２４を形成したが、本発明はこれに限らない。すなわち、保持部材３８２に複数の突出部を設け、当該複数の突出部に応じた切欠をＨＤＤ取付部４９に形成してもよい。また、これら突出部及び切欠の数は適宜設定してよい。さらに、突出部４９４３，４９４４は、底面４９４に形成されるとしたが、上面４９３から底面４９４に向う方向に突出するように設けてもよい。
【００８１】
前記実施形態では、ＨＤＤ取付部４９は、枠状に形成されているとしたが、本発明はこれに限らず、例えば、断面視略Ｌ字状に形成された板状体としてもよい。このような場合、一方の面にＨＤＤユニット３８を挿入するための開口を形成し、他方の面に沿ってＨＤＤユニット３８の挿入方向に直交する方向に摺動させることでコネクタ５８に接続される構成とし、当該コネクタ５８近傍に突出部または切欠を形成するようにすればよい。逆に、保持部材３８２を、ＨＤＤ３８１を覆う枠状に形成してもよい。
【００８２】
前記実施形態では、開口４９１１から垂下する垂下部４９１２にガイド部４９１３が形成され、ＨＤＤユニット３８の保持部材３８２には、ガイド部４９１３に当接する当接部３８２１１が形成されているとしたが、本発明はこれに限らない。すなわち、ガイド部及び当接部をそれぞれＨＤＤ取付部４９及び保持部材３８２に設ける場合には、それぞれの位置が対応するように設けてあればよい。
【００８３】
前記実施形態では、突出部４９４３，４９４４は、それぞれ平面視略長円形状及び略円形状に形成されているとしたが、本発明はこれに限らない。例えば、それぞれ寸法の異なる平面視略円形状に形成してもよい。すなわち、開口４９１１に近接する側に形成された突出部４９４３のＨＤＤユニット３８の挿入方向に沿った寸法が、開口４９１１から離間する側に形成された突出部４９４４の当該挿入方向に沿った寸法より大きければ、形状は問わない。なお、当該挿入方向に沿った方向の両端の角が取れた形状を各突出部が有していれば、当該角が保持部材３８２の切欠３８２２３，３８２２４に引っ掛かりづらくなるので、突出部４９４３，４９４４と切欠３８２２３，３８２２４との位置合わせを速やかに行うことができる。
【００８４】
前記実施形態では、保持部材３８２には、ＨＤＤユニット３８の開口４９１１への挿入側とは反対側の側面部３８２１に把手３８５が設けられ、当該把手３８５は、側面部３８２１の取付部３８２１３に回動自在に設けられているとしたが、本発明はこれに限らない。例えば、把手は回動する必要はなく、側面部３８２１から突設されていてもよい。すなわち、ＨＤＤユニット３８を把持しやすく、当該ＨＤＤユニット３８のコネクタ５８への摺動を容易にできるのであれば、他の形状でもよい。
【００８５】
前記実施形態では、記憶装置として、記憶媒体であるＨＤＤ３８１を備えたＨＤＤユニット３８を例示したが、本発明はこれに限らない。例えば、記憶媒体として半導体メモリを備えた記憶装置として構成することも可能である。
【００８６】
前記実施形態では、電子機器として、光ディスク、メモリカード及びＨＤＤユニット３８から取得した情報、及び、ネットワークを介して取得した情報に含まれる画像情報及び音声情報を再生可能に構成され、また、当該情報に含まれるプログラムを実行可能に構成された情報処理装置１を例示したが、本発明はこれに限らない。すなわち、情報を記憶する記憶装置を挿抜可能に構成され、当該記憶装置への情報の読出及び記憶を制御可能な電子機器であれば、他の構成でもよい。また、ＰＣ等の外部機器として構成され、当該ＰＣから入力する信号に応じて記憶装置に対して情報の読取及び記憶の少なくともいずれかを実行する電子機器に、本発明を適用することも可能である。
【産業上の利用可能性】
【００８７】
本発明は、電子機器に利用でき、特に、記憶装置を挿抜可能に構成された電子機器に好適に利用することができる。
【図面の簡単な説明】
【００８８】
【図１】本発明の一実施形態に係る情報処理装置を正面側から見た斜視図。
【図２】前記実施形態における情報処理装置を背面側から見た斜視図。
【図３】前記実施形態における装置本体を正面側から見た斜視図。
【図４】前記実施形態における装置本体を示す分解斜視図。
【図５】前記実施形態におけるメインフレームを上方から見た斜視図。
【図６】前記実施形態におけるメインフレームを下方から見た斜視図。
【図７】前記実施形態における制御基板を上方から見た斜視図。
【図８】前記実施形態における制御基板を下方から見た斜視図。
【図９】前記実施形態における制御ユニット及び冷却ユニットを下方から見た斜視図。
【図１０】前記実施形態における蓋部材を外した情報処理装置を示す斜視図。
【図１１】前記実施形態におけるＨＤＤユニットと外装筐体を示す斜視図。
【図１２】前記実施形態におけるＨＤＤユニットを挿入した情報処理装置を拡大して示す概要斜視図。
【図１３】前記実施形態におけるＨＤＤ取付部及びＨＤＤユニットを示す斜視図。
【図１４】前記実施形態におけるＨＤＤ取付部を示す側面図。
【図１５】前記実施形態におけるＨＤＤ取付部を示す平面図。
【図１６】前記実施形態におけるＨＤＤ取付部及びコネクタを示す斜視図。
【図１７】前記実施形態におけるＨＤＤユニットを示す斜視図。
【図１８】前記実施形態におけるＨＤＤユニットの保持部材を示す平面図。
【図１９】前記実施形態におけるＨＤＤ取付部及びＨＤＤユニットを底面側から見た斜視図。
【図２０】前記実施形態におけるＨＤＤユニットの一部をＨＤＤ取付部に挿入した状態を示す模式図。
【図２１】前記実施形態におけるＨＤＤユニットを完全にＨＤＤ取付部に挿入した状態を示す模式図。
【図２２】前記実施形態におけるＨＤＤユニットをＨＤＤ取付部に取り付けた状態を示す模式図。
【符号の説明】
【００８９】
１…情報処理装置（電子機器）、３…装置本体（機器本体）、３８…ＨＤＤユニット（記憶装置）、４９…ＨＤＤ取付部（取付部）、３８１…ＨＤＤ（記憶媒体）、３８２…保持部材、３８５…把手、５８１…接続部、３８２１…側面部（他の側面部）、３８２２…底面部（側面部）、４９１１…開口、４９１３…ガイド部、４９４３…突出部（開口から近接する側に設けられた突出部）、４９４４…突出部（開口から離間する側に設けられた突出部）、３８２１３…当接部。
【図１】
2008077773.tif 000003
【図２】
2008077773.tif 000004
【図３】
2008077773.tif 000005
【図４】
2008077773.tif 000006
【図５】
2008077773.tif 000007
【図６】
2008077773.tif 000008
【図７】
2008077773.tif 000009
【図８】
2008077773.tif 000010
【図９】
2008077773.tif 000011
【図１０】
2008077773.tif 000012
【図１１】
2008077773.tif 000013
【図１２】
2008077773.tif 000014
【図１３】
2008077773.tif 000015
【図１４】
2008077773.tif 000016
【図１５】
2008077773.tif 000017
【図１６】
2008077773.tif 000018
【図１７】
2008077773.tif 000019
【図１８】
2008077773.tif 000020
【図１９】
2008077773.tif 000021
【図２０】
2008077773.tif 000022
【図２１】
2008077773.tif 000023
【図２２】
2008077773.tif 000024